(57)【要約】  眼科手術野内に導管を位置付けるためのシステムは、導管（１２）と、第１の固定点（１４）と、第２の固定点（１５）とを備えている。第１の固定点（１４）は、固定ロケーションで締め付けるように配置されているベース構造（１６）と、導管（１２）を保持するように構成されているグリップ装置（１８）とを備えている。グリップ装置（１８）は、ボールジョイント構造（２０、２２）を通してベース構造（１６）上に据え付けられ、ボールジョイント構造（２０、２２）は、ベース構造（１６）に関してグリップ装置（１８）の枢動及び回転運動を可能にするように配置されている。第２の固定点（１５）は、第１の固定点（１４）から予め定められた距離だけ離れて位置付けられている。眼科手術野で導管を位置付ける方法も説明する。【選択図】図１
2021502175.tif 000002
【特許請求の範囲】
【請求項１】
眼科手術部位内に導管を位置付けるためのシステムであって、
導管（１２）と、
第１の固定点（１４）と、
前記第１の固定点（１４）から予め定められた距離だけ離れて位置付けられている第２の固定点（１５）とを備え、
前記第１の固定点（１４）は、
固定ロケーションで締め付けるように配置されているベース構造（１６）と、
前記導管（１２）を保持するように構成されているグリップ装置（１８）とを備え、前記グリップ装置（１８）は、ボールジョイント構造（２０；２２）を通して前記ベース構造（１６）上に据え付けられ、前記ボールジョイント構造は、前記ベース構造（１６）に関して前記グリップ装置（１８）の枢動及び回転運動を可能にするように配置されている、システム。
【請求項２】
前記第２の固定点（１５）は、カニューレ（２４）を備える、請求項１に記載のシステム。
【請求項３】
前記導管（１２）は、光導管として構成され、少なくとも１つの光ファイバを備える、請求項１又は２に記載のシステム。
【請求項４】
前記導管（１２）は、前記手術部位（例えば、注入又は吸引ライン）に、又は前記手術部位から流体を送り出するように構成されている少なくとも１つの内部管腔を備える、請求項１−３のうちのいずれか１項に記載のシステム。
【請求項５】
前記導管（１２）をその長さに沿って少なくとも部分的に取り囲むシース（２６）をさらに備える、請求項１−４のうちのいずれか１項に記載のシステム。
【請求項６】
前記シース（２６）は、前記第１の固定点（１４）の領域において前記導管（１２）を取り囲む、請求項５に記載のシステム。
【請求項７】
前記シース（２６）と前記導管（１２）との組み合わせは、前記導管（１２）の露出部分よりも高い剛性を有する、請求項５又は６に記載のシステム。
【請求項８】
前記導管（１２）は、前記シース（２６）の近位端から（例えば、約５ｍｍから５０ｍｍの間の長さだけ、例えば、約３０ｍｍだけ）伸長する、請求項５−７のうちのいずれか１項に記載のシステム。
【請求項９】
前記ボールジョイント構造は、ボール要素（２０）及び収容要素（２２）を備え、前記収容要素（２２）は、前記収容要素（２２）に対する前記ボール要素（２０）の並進運動を防止するように、前記ボール要素（２０）を少なくとも部分的にその中に閉じ込めるように構成されている、請求項１−８のうちのいずれか１項に記載のシステム。
【請求項１０】
前記ボール要素（２０）は、前記ベース構造（１６）上に据え付けられ、前記グリップ装置（１８）は、前記収容要素（２２）を備える、請求項１−９のうちのいずれか１項に記載のシステム。
【請求項１１】
前記ベース構造（１６）は、収容要素（２２）を備え、前記ボール要素（２０）は、前記グリップ装置（１８）上に据え付けられる、請求項１−９のうちのいずれか１項に記載のシステム。
【請求項１２】
前記ベース構造（１６）に対して前記グリップ装置（１８）を移動させるために予め定められた再位置決め力が加えられるまで、前記ボールジョイント構造（２０、２２）は、前記グリップ装置（１８）を前記ベース構造（１６）に対して安定したポジションで支持するように構成されている、請求項１−１１のうちのいずれか１項に記載のシステム。
【請求項１３】
前記グリップ装置（１８）に対して前記導管（１２）を移動させるために予め定められた再位置決め力が加えられるまで、前記グリップ装置（１８）は、前記グリップ装置（１８）に対して安定したポジションで前記導管（１２）を支持するように構成されている、請求項１−１２のうちのいずれか１項に記載のシステム。
【請求項１４】
前記ベース構造（１６）は、前記ベース構造（１６）を表面に締め付けるように適合された少なくとも１つの締め付け要素（２８）を備える、請求項１−１３のうちのいずれか１項に記載のシステム。
【請求項１５】
前記第２の固定点（１５）は、前記導管（１２）を係合し、前記第２の固定点（１５）に対する前記導管（１２）の軸方向移動を制限するように適合される、少なくとも１つの固定機構（３２）（例えば、スリット弁、弾性円周隆起等）を備える、請求項１−１４のうちのいずれか１項に記載のシステム。
【請求項１６】
前記導管（１２）は、前記カニューレ（２４）上の前記固定機構（３２）を係合するように適合された係合機構（３４）を備える、請求項１５に記載のシステム。
【請求項１７】
導管を手術部位内に位置付けるための方法であって、
前記導管（１２）を第１の固定点（１４）に締め付けることと、ここで、前記第１の固定点（１４）は、表面（３０）に締め付けられるように構成されているベース構造（１６）と、前記導管（１２）を保持するように構成されているグリップ装置（１８）とを備え、前記グリップ装置（１８）は、前記ベース構造（１６）に対する前記グリップ装置（１８）の枢動及び回転運動を可能にするように配置されているボールジョイント構造（２０、２２）を通して前記ベース構造（１６）上に据え付けられ、
前記手術部位の入口点において第２の固定点（１５）で前記導管（１２）を締め付けることと、ここにおいて、前記第２の固定点（１５)は、前記第１の固定点（１４）から離れて、そこから予め定められた距離に位置付けられ、前記第２の固定点（１５）は、前記導管（１２）が通過する開口を備え、
前記第１の固定点（１４）においてベース構造（１６）に対してグリップ装置（１８）の向きを変え、前記導管（１２）の先端（１２a）を前記第２の固定点（１５）について枢動させること、
を含む、方法。
【請求項１８】
前記第２の固定点（１５）は、カニューレ（２４）を備え、前記方法は、前記導管（１２）を前記カニューレ（２４）に通すステップを含む、請求項１７に記載の方法。
【請求項１９】
前記導管（１２）を前記グリップ装置（１８）に対して軸方向に摺動させるステップをさらに含む、請求項１７又は１８に記載の方法。
【請求項２０】
前記導管（１２）は、光ファイバを備え、前記ベース構造（１６）に対して前記グリップ装置（１８）の方向を変えるステップは、前記光ファイバを操って、前記手術部位の予め定められた領域に照明を提供することを含む、請求項１７−１９のうちのいずれか１項に記載の方法。
【請求項２１】
前記導管（１２）は、流体導管（例えば、吸引又は潅流ライン）を備え、前記ベース構造（１６）に対して前記グリップ装置（１８）の向きを変えるステップは、前記流体導管を操って、手術野の予め定められた領域に潅流及び／又は吸引を提供することを含む、請求項１７−２０のうちのいずれか１項に記載の方法。
【発明の詳細な説明】
【技術分野】
【０００１】
本発明は、手術部位内で導管を方向付けるためのシステム及び方法に関し、より詳細には、眼内で光ファイバ又は流体導管の先端を操るためのシステム及び方法に関する。
【背景技術】
【０００２】
眼科手術で使用するためのシステムは、光又は流体を眼に送り出すための導管を含むことが多い。例えば、手術部位を照明するための装置は、光源に結合された光ファイバが伸長する管腔を備えているかもしれない。外科医の視野を照明するための光に加えて、光ファイバはまた、治療のための放射線を眼内の部位に送り出すことができる。いくつかの用途では、流体（例えば、潅流及び／又は吸引流体）を眼に送り出す流体輸送管腔も提供されてもよい。例えば、流体導管は、流体源（例えば、注入ボトル）に接続され、潅流流体を手術部位に送り出すように構成されてもよい。代替的に、流体導管は、真空源に接続され、眼から流体及び外科的破片を吸引するように構成されてもよい。多くの用途において、照明及び／又は流体の流れを眼の中の正確なロケーションに向けるために、眼の中の導管の先端を操ることができることが有用であることがある。
【０００３】
米国特許出願公開ＵＳ５，６８１，２６４Ａは、眼科手術のための照明デバイスを説明している。デバイスは、近位端及び遠位端を有する光ファイバと、光ファイバの近位端に配置されたコネクタと、概して光ファイバの遠位端に配置されたハンドピースとを備えている。照明を眼内の所望のロケーションに方向付けるために、ユーザは、ハンドピースを操作して、眼内の照明の視野を移動させる。
【０００４】
ＰＣＴ公開番号ＷＯ９３／１６６６８Ａ１は顕微鏡手術の間に使用するための可撓性があり操ることが可能な吸引先端部を説明している。吸引先端部は、ばね素材を含む可撓性部分を含み、ばね素材は、弛緩した予め湾曲した状態で、又は、代替的に、圧力を加えられた真っ直ぐな構成で構成されてもよい。吸引先端部は、吸引先端部の構成を遠隔的に変更する手段を含む、ハンドピースアセンブリと組み合わされてもよい。
【発明の概要】
【０００５】
本発明は、眼科手術の間、手術部位内で導管の先端を方向付けるための改善されたシステム及び方法を提供しようとする。
【０００６】
本発明にしたがうと、眼科手術部位又は手術野内に導管を位置付けるためのシステムが提供され、システムは、導管と、第１の固定点と、第１の固定点から予め定められた距離だけ離れて位置付けられている第２の固定点とを備え、第１の固定点は、固定ロケーションで締め付けるように配置されているベース構造と、導管を保持するように構成されているグリップ装置とを備え、グリップ装置は、ボールジョイント構造を通してベース構造上に据え付けられ、ボールジョイント構造は、ベース構造に関してグリップ装置の枢動及び回転運動を可能にするように配置されている。
【０００７】
本発明の第２の態様にしたがうと、眼科手術部位又は手術野内に導管を手術部位内に位置付けるための方法が提供され、方法は、導管を第１の固定点に締め付けることと、手術野の入口点において第２の固定点で導管を締め付けることと、第１の固定点においてベース構造に対してグリップ装置の向きを変え、導管の先端を第２の固定点について枢動させることとを含み、第１の固定点は、表面に締め付けられるように構成されているベース構造と、導管を保持するように構成されているグリップ装置とを備え、グリップ装置は、ベース構造に対するグリップ装置の枢動及び回転運動を可能にするように配置されているボールジョイント構造を通してベース構造上に据え付けられ、第２の固定点は、第１の固定点から離れて、そこから予め定められた距離に位置付けられ、第２の固定点は、導管が通過する開口を備える。
【０００８】
さらなる実施形態は、従属請求項に説明されている。
【０００９】
本発明にしたがうシステム及び方法は、有利なことに、外科医が、処置全体を通して、光又は流体導管を手術野内に再配置し、それを所望のロケーションに固定することを可能にする。さらに、第１の固定点を直近の手術野から離れた表面上に設けることによって、眼の周囲に配置されるかさばる器具の数が低減される。最後に、本発明の機械的に単純な装置は、システムコンポーネントの洗浄を促進し、１回以上の使用後のコンポーネント部品の交換を経済的に可能にする。
【００１０】
本発明の例示的な実施形態を、添付の図面を参照して説明する。
【図面の簡単な説明】
【００１１】
【図１】図１は、本発明の実施形態にしたがう導管を操るシステムを示す。
【図２Ａ】図２Ａは、眼科手術設定の体内における図１のシステムを示す。
【図２Ｂ】図２Ｂは、眼科手術設定の体内における図１のシステムを示す。
【図３Ａ】図３Ａは、使用する際の図１及び２のシステムの可能な方向を示す。
【図３Ｂ】図３Ｂは、使用する際の図１及び２のシステムの可能な方向を示す。
【図３Ｃ】図３Ｃは、使用する際の図１及び２のシステムの可能な方向を示す。
【図３Ｄ】図３Ｄは、使用する際の図１及び２のシステムの可能な方向を示す。
【図３Ｅ】図３Ｅは、使用する際の図１及び２のシステムの可能な方向を示す。
【図３Ｆ】図３Ｆは、使用する際の図１及び２のシステムの可能な方向を示す。
【実施形態の説明】
【００１２】
図１は、本発明の１つの例示的な実施形態にしたがう眼科手術野内に導管を位置決めするためのシステムを示す。図１に示されるように、システム１０は、眼１に光又は流体を送り出すための導管１２を備える。第１の固定点１４は、固定ロケーションに締め付けられるように配置されているベース構造１６と、導管１２を保持するように構成されているグリップ装置又はグリップコンポーネント１８とを備える。グリップ装置１８は、ボールジョイント構造２０、２２を通してベース構造１６に据え付けられている。ボールジョイント構造は、（例えば、グリップ装置１８及びベース構造１６の互いに対する並進運動を防止しながら）ベース構造１６に対するグリップ装置１８の枢動及び回転運動を可能にするように配置される。第２の固定点１５は、第１の固定点１４から予め定められた距離だけ離れて位置付けられている。
【００１３】
第１の固定点１４は、導管１２の近位端１２ａから約５０−２００ｍｍで導管１２にクリップ留めすることができる。これは、第１の固定点１４が眼から離れて位置付けられることを可能にし、眼の表面の周りの貴重な空間を解放する。
【００１４】
有利には、第２の固定点１５は、手術部位への入口に、すなわち、眼１の表面又はその近くに位置付けられる。第２の固定点１５は、眼１の内部へのアクセスを提供する任意の構造を備えることができる。例えば、第２の固定点１５は、カニューレ２４を備えることができる。カニューレ２４は、挿入デバイス（図示せず）を用いて眼１に挿入される単純なチューブを備えることができ、このチューブを通して、眼１の内部に到達するように導管１２を通過させることができる。代替的に、カニューレ２４は、眼１への挿入を促進するために鋭い先端を備えてもよい。ポート（例えば、カニューレ）を備えるトロカール構成を第２の固定点１５が備えることができ、これは導管１２を係合するための密封又は固定機構を組み込むことも当業者は理解するであろう。この性質の１つの例示的な実施形態を、図２Ｂを参照して以下で議論する。
【００１５】
図１に示すように、導管１２は、少なくとも１つの光ファイバを含む光導管として構成することができる。この実施形態では、導管１２の遠位端は、光源Ｌに結合される。光ファイバは、光源から眼１に光を送り出す。代替的に（又は追加的に）、導管１２は、手術部位へ又は手術部位から流体を送り出すための少なくとも１つの内部管腔（例えば、注入ライン又は吸引ライン）を備える流体導管として構成されることができる。流体導管は、潅流流体源（例えば、注入ボトル）に結合され、潅流流体を眼１に送り出すように構成されることができる。代替的に、流体導管は、真空源に結合され、手術部位から外科用流体及び／又は外科的破片を排出するように構成されることができる。単一の導管１２に複数の管腔を設けることができる。
【００１６】
図１に示すように、システム１０は、少なくとも部分的にその長さに沿って導管１２を取り囲むシース２６をさらに備えることができる。いくつかの実施形態では、シース２６は、第１の固定点１４の領域において導管１２を取り囲むことができる。これは、グリップ装置１８の領域において導管１２（例えば、光ファイバ）に追加の保護を提供することができる。
【００１７】
導管１２に対する保護を提供することに加えて、シース２６を使用して、必要に応じて導管１２の剛性を高めることができる。例えば、シース２６と導管１２との組み合わせは、導管１２の露出部分よりも高い剛性を有することができる。これは、導管１２よりも大きな曲げ弾性率を有する素材からシースを形成することによって達成することができる。代替的に、シース１２は、導管と同様の曲げ弾性率を有する素材から形成されてもよく、それにより、導管１２及びシース２６の総直径の増加によって剛性の増加がもたらされる。導管１２の近位先端１２ａを露出させたままにすることによって、導管１２の剛性をその長さに沿って変化させることができ、シース２６によって囲まれた部分は、先端１２ａにおける露出部分よりも剛性が高い。先端１２ａにおいて導管のより可撓性のある部分を提供することによって、手術野内で導管１２の操作性を改善できる。シース２６は、グリップ装置１８と導管１２との間の摩擦係合を増大させるように構成することもでき、それにより、導管１２とグリップ装置１８との間の結合の剛性を増大させることを当業者は理解するであろう。例えば、シース２６は、グリップ装置１８との係合を促進するために、その長さの一部に沿った表面機構を備えてもよい。
【００１８】
１つの例示的な実施形態では、導管１２は、シース２６の近位端から約５−５０ｍｍ（例えば、約３０ｍｍ）だけ伸長する。この伸長した長さは、眼の中での導管先端１２ａの十分な操作性を提供する一方で、手術野から離れて位置付けられる導管１２の部分を保護することが見出されている。
【００１９】
依然として図１を参照すると、ボールジョイント構造２０、２２は、ボール要素２０及び収容要素２２を備えることができる。収容要素２２は、収容要素２２に対するボール要素２０の並進運動を防止するために、ボール要素２０を少なくとも部分的にその中に閉じ込めるように構成されている。
【００２０】
当業者は、このようなボールジョイント構造２０、２２が異なる方法で構成されてもよいことを理解するであろう。例えば、図１に示されるように、１つの構成では、ボール要素２０は、ベース構造１６上に据え付けられることができ、グリップ装置１８は、収容要素２２を備えることができる。ボール要素２０は、収容要素２２中に収容され、そこに締め付けられ、ボール２０と収容要素２２との間の相対回転運動が少なくともある程度全方向に許容される一方で、ボールと収容要素２２との間の任意の方向への相対並進を防止する。図１に示される構成の代替として、ベース構造１６は、収容要素２２を備えることができ、ボール要素２０は、グリップ装置１８上に据え付けられることができる。
【００２１】
いずれのケースも、収容要素２２は、ボール要素２０の上部を完全に包む部分的な球形シェルを備えることができる。代替的に、図２に示すように、収容要素２２は、ボール要素２０を係合する２つ以上の対向する爪を備えることができる。爪は、弾性的で可撓性があることができ、その結果、爪をボール要素２０上にクリップ留めすることができる。他の構成は、本開示に照らして当業者に明らかであろう。
【００２２】
ボール要素２０と収容要素２２との間の結合は、グリップ装置１８をベース構造１６に対して安定したポジションに保持するが、ユーザによるベース構造１６に対するグリップ装置１８の再位置付を可能にする剛性を有するように構成することができる。言い換えると、グリップ装置１８をベース構造１６に対して移動させるように予め定められた再位置付け力が加えられるまで、ボールジョイント構造２０、２２は、グリップ装置１８をベース構造１６に対して安定したポジションで支持するように構成することができる。再位置付け力は、システムのパラメータ、例えば、導管の剛性及び重量、ボールジョイント構造のサイズ、手術野への近接度等に基づいて選ぶことができる。１つの例では、適切な再位置付け力は、少なくとも１Ｎ（例えば、少なくとも１．８Ｎ）であることがある。この再位置決め力は、ユーザがベース１６に対してグリップ１８を容易に再位置付けすることを可能にするが、外科的処置の間の導管１２の偶発的な移動を防止するのに十分に高い。当業者は、この値がインプリメンテーションに応じて調整されてもよいことを理解するであろう。
【００２３】
同様に、導管１２とグリップ装置１８との間の結合の剛性は、グリップ装置１８が、グリップポジションに対して安定したポジションで導管１２を保持するが、ユーザによるベース構造１６に対するグリップ装置に対して導管１２の再位置付けを可能にする剛性で導管１２を係合するように選択されるべきである。言い換えると、グリップ装置１８に対して導管１２を移動させるために予め定められた再位置付け力が加えられるまで、グリップ装置１８は、グリップポジションに対して安定したポジションで導管１２を支持するように構成されている。グリップ１８に対して軸方向に導管１２を移動させるための再位置付け力はまた、システムのパラメータ、例えば、導管の剛性及び重量、手術野への近接度等に基づいて選ぶことができる。１つの例では、適切な再位置付け力は、少なくとも０．４Ｎ（例えば、少なくとも０．８Ｎ）であることがある。この再位置決め力は、ユーザがグリップ１８に対して導管１２を容易に再位置付けすることを可能にするが、外科的処置の間の導管１２の偶発的な移動を防止するのに十分に堅い。当業者は、この値がインプリメンテーションに応じて調整されてもよいことを理解するであろう。少なくともいくつかの実施形態では、グリップ１８は、シース２６を変形させる力を導管１２に及ぼすように構成することができる。シース２６の変形は、次に、導管１２を把持し、グリップ１８に対する導管１２の軸方向の移動を防止する。シース２６と導管１２との間の摩擦係合は、シース２６に高摩擦素材を使用することによって変更することができる。例えば、シース２６は、導管１２とグリップ１８との間の摩擦係合を増加させるために、少なくともシリコン又はゴム管の領域を備えることができる。加えて、又は代替的に、シース２６は、（ｉ）導管１２とシース２６との間の、及び／又は、（ｉｉ）シース２６とグリップ１８との間の摩擦係合を増加させるために、表面機構（例えば、内部又は外部リブ）を備えることができる。
【００２４】
当業者は、ボールジョイント構造２０、２２の剛性及びグリップ装置１８によって導管１２に及ぼされる力もまた、用途に応じて選ぶことができることを認識するであろう。いずれにしても、グリップ装置１８と導管１２又はシース２６との間の摩擦係合は、グリップ装置１８がグリップ装置１８に対して滑ることなく導管１２の自体の重量を支持し、処置の過程で外科医との偶発的な接触によるグリップ装置１８に対する導管１２の不注意な再配置を防止することができるのに十分であるべきである。代わりに、グリップ装置１８とシース２６又は導管１２との間の摩擦係合は、グリップ装置１８が医療従事者によって能動的に再位置付けされない限り、グリップ装置１８に対する導管１２の移動を防止するのに十分であるべきである。この摩擦係合は、有利には、外科医が、処置の期間の間（又は意図的に再位置付けされるまで）、導管１２を定位置に締め付け、処置の間、両手を自由にして、他の手動作業を継続することを可能にする。オプション的に、この能力を促進するために、グリップ装置は、グリップ１８の導管１２との係合を解放し、グリップ装置１８に対する導管１２の再位置付けを可能にする（つまみ可能セクションのような）解放機構を備えることができる。
【００２５】
ここで図２を参照すると、第１の固定点１４のベース構造１６は、ベース構造１６を表面３０に締め付けるように適合された少なくとも１つの締め付け要素２８を備えることができる。締め付け要素２８は、外科処置の間にベース構造１６を外科用ドレープ３０又は他の安定した表面に取り付けるように構成されている接着エリア２８又はクリップ（図示せず）を含むことができる。当業者は、他の締め付けソリューションが可能であることを理解するであろう。
【００２６】
図２Ａに示されるように、第２の固定点１５は、眼１の表面又はその近くに位置付けられる。いくつかの実施形態では、第２の固定点１５は、眼１の表面（例えば、強膜）の切り目に位置付けられる。図２に示す実施形態では、第２の固定点１５は、眼１の表面の切開部に設けられた中空管又はカニューレ２４によって提供される。導管１２は、その先端１２ａが眼１内に配置されるように、第２の固定点１５を通って伸長する。図２に示される実施形態は、第２の固定点１５を提供するためにカニューレ２４を用いるが、本発明のいくつかの実施形態では、カニューレ２４を省略でき、第２の固定点１５は、単に、眼１内の切開を囲む組織によって提供されることができる。
【００２７】
ここで図２Ｂを参照すると、第２の固定点１５は、導管１２を係合し、第２の固定点１５に対する導管１２の軸方向移動を制限するように適合される、少なくとも１つの固定機構３２を備えることができる。言い換えると、固定機構は、導管が手術部位の開口を通って摺動することを防止することができる。固定機構３２は、導管１２の外面を係合するスリット弁、弾性円周隆起、又は他の内面機構を備えることができる。固定機構３２の目的は、予め定められた力しきい値を超えない限り、カニューレ２４内の導管１２の軸方向の移動（すなわち、カニューレ２４の中空体内の導管１２の摺動）を制限することである。例えば、カニューレ２４と導管１２との間の係合は、医療従事者によって意図的に再位置付けされない限り、導管１２がカニューレ２４との係合によって定位置に保持されるのに十分であるべきである。
【００２８】
カニューレ２４と導管１２との間の係合を促進するために、カニューレ２４はまた、カニューレ２４上の対応する固定機構３２を係合するように構成されている係合機構３４を備えてもよい。図２Ｂに示されるように、係合機構３４は、導管１２の外面の周りに提供される周方向隆起の形態をとることができる。いくつかの実施形態では、この特徴は、固定機構３２に加えて、又はその代わりに用いることができる。またさらなる実施形態では、カニューレ２４及び導管１２は、互いに恒久的に係合されてもよい（例えば、固定して取り付けられる）。
【００２９】
次に、図３Ａ−Ｆを参照してシステムの使用を説明する。図３Ａ−Ｆに示すように、２つの予め定められた空間をあけた固定点における可撓性導管１２の固定は、導管１２が移動することができる２つの枢動点を提供する。外科医が第１の固定点１４においてベース構造１６に対してグリップ装置１８を移動させると、導管１２は曲がり、第２の固定点１５について枢動する。したがって、一般的に言えば、手術野内に導管１２を位置付ける方法は、（ｉ）導管１２を第１の固定点１４に据え付けるステップ（第１の固定点１４は、表面に締め付けられるように構成されているベース構造１６と、導管１２を保持するように構成され、ベース構造１６に対するグリップ装置の枢動及び回転運動を可能にするように配置されているボールジョイント構造２０、２２を通してベース構造１６上に据え付けられているグリップ装置１８とを含む）と；（ｉｉ）導管１２を第２の固定点１５に締め付けるステップ（第２の固定点１５は、導管１２が通過する開口を含み、第１の固定点１４から離れた手術野の入口点に位置付けられている）と；（ｉｉｉ）第１の固定点１４においてベース構造１６に対してグリップ装置１８の向きを変え、導管１２の先端１２ａ第２の固定点１２について枢動させるステップとを含む。
【００３０】
処置に備えて、又は処置の間に、医療従事者は、眼に切開を生成して、導管１２の手術野へのアクセスを提供することができる。上述のように、切開は第２の固定点１５を形成することができ、又は第２の固定点１５はカニューレ２４によって提供することができる。このケースでは、方法は、導管１２をカニューレ２４に通すことをさらに含む。当業者は、カニューレを眼１に挿入するための多数の適切なデバイスを知っているであろう。例えば、眼に切開を形成し、カニューレ２４を配置する専用のエントリツールを使用することができる。次に、カニューレ２４を定位置に残し、眼１の表面を通って伸長するように、エントリツールを取り外す。
【００３１】
図３Ａに示されるように、グリップ装置１８が手術部位から離れるように傾けられる場合、導管１２の近位先端１２ａは、第２の固定点１５について枢動して、眼１の後部を照明する。図３Ｂに図示されるように、グリップ装置１８が眼に向けて傾けられる場合、先端１２ａは、（図３Ｂに示されるように）第２の固定点１５について枢動して、眼１の左下の部分を照明する。
【００３２】
図３Ｃ及び図３Ｄは、グリップ装置１８をベース構造１６に対して左右にねじることによって、（図３Ｃ及び図３Ｄに示す見方から）グリップ装置１８をどのように操って眼１の左及び右手側を照明することができるかを示す。
【００３３】
最後に、図３Ｅ及び３Ｆは、グリップ装置１８に対して軸方向に導管１２を摺動させることを、眼の中で導管１２の先端を操るためにどのように使用できるかを示す。図３Ｅから３Ｆに示されるように、２つの安定した固定点１４、１５の間の導管１２の長さを変化させることは、眼１内の照明の視野を変更できる。図３Ｅに示されるように、第１の固定点１４と第２の固定点１５との間の導管１２の長さが短いほど、導管１２の経路はより直線的であり、結果として、第１の固定点１４と第２の固定点１５との間の導管１２の軸にほぼ沿って伸長する照明野となる。第１の固定点１４が右手側から眼に向けて伸長する図３Ｅに示す構成では、これは、結果として、眼１の左側の照明野となる。逆に、第１の固定点１４と第２の固定点１５との間の導管１２の長さが、第１の固定点１４と第２の固定点１５との間のこの距離を著しく超えるように、導管１２がグリップ装置１８に対して軸方向に摺動する場合、導管１２は、第２の固定点１５について曲がり又はゆがみ、眼１の後側を照明する。
【００３４】
したがって、グリップ装置１８を第１の固定点１４に対して再位置付けすることによって、導管１２の近位先端１２ａは、第２の固定点１５について枢動し、手術野の予め定められた領域を照明又は潅流及び／又は吸引するように光ファイバ又は流体導管を操ることができる。
【００３５】
図面に示されるような多数の非限定的な例示的実施形態を参照して、本発明をここに説明している。本開示を知ると、当業者であれば、添付の特許請求の範囲によって規定される本発明の範囲から逸脱することなく、説明した実施形態に変更がなされてもよいことを理解するであろう。
【図１】
2021502175.tif 000003
【図２Ａ】
2021502175.tif 000004
【図２Ｂ】
2021502175.tif 000005
【図３Ａ】
2021502175.tif 000006
【図３Ｂ】
2021502175.tif 000007
【図３Ｃ】
2021502175.tif 000008
【図３Ｄ】
2021502175.tif 000009
【図３Ｅ】
2021502175.tif 000010
【図３Ｆ】
2021502175.tif 000011
【国際調査報告】
2021502175.tif 000012
2021502175.tif 000013